(57)【要約】【課題】柔軟なステート遷移が可能な誤り率測定装置を提供する。【解決手段】誤り率測定装置１は、ハイスピードシリアルバスの規格が定める特定パターンを被測定物Ｗに入力して被測定物Ｗをパターン信号折り返しのステートに遷移させた状態で既知パターンのテスト信号を入力し、このテスト信号の入力に伴って被測定物Ｗから受信する入力データのビット誤り率を測定するもので、特定パターンを設定するパターン設定画面５ａを表示する表示部５と、パターン設定画面５ａの特定パターンをブロック単位で編集可能なパターン編集画面５ｂに切り替えて表示するように表示部５を制御する制御部６とを備える。【選択図】図１
2020127116.tif 000002
【特許請求の範囲】
【請求項１】
ハイスピードシリアルバスの規格が定める特定パターンを被測定物（Ｗ）に入力して該被測定物をパターン信号折り返しのステートに遷移させた状態で既知パターンのテスト信号を入力し、このテスト信号の入力に伴って前記被測定物から受信する入力データのビット誤り率を測定する誤り率測定装置（１）であって、
前記特定パターンを設定するパターン設定画面（５ａ）を表示する表示部（５）と、
前記パターン設定画面の前記特定パターンをブロック単位で編集可能なパターン編集画面（５ｂ）に切り替えて表示するように前記表示部を制御する制御部（６）とを備えたことを特徴とする誤り率測定装置。
【請求項２】
前記制御部（６）は、前記パターン設定画面（５ａ）における前記特定パターンの現在送信中のブロックを識別表示するように前記表示部（５）を制御することを特徴とする請求項１に記載の誤り率測定装置。
【請求項３】
ハイスピードシリアルバスの規格が定める特定パターンを被測定物（Ｗ）に入力して該被測定物をパターン信号折り返しのステートに遷移させた状態で既知パターンのテスト信号を入力し、このテスト信号の入力に伴って前記被測定物から受信する入力データのビット誤り率を測定する誤り率測定方法であって、
前記特定パターンを設定するパターン設定画面（５ａ）を表示するステップと、
前記パターン設定画面の前記特定パターンをブロック単位で編集可能なパターン編集画面（５ｂ）に切り替えて表示するステップとを含むことを特徴とする誤り率測定方法。
【請求項４】
前記パターン設定画面（５ａ）における前記特定パターンの現在送信中のブロックを識別表示するステップを含むことを特徴とする請求項３に記載の誤り率測定方法。
【発明の詳細な説明】
【技術分野】
【０００１】
本発明は、被測定物を信号パターン折り返しのステートに遷移させた状態で既知パターンのテスト信号を被測定物に送信し、このテスト信号の送信に伴って被測定物から折り返して受信する入力データのビット誤り率を測定する誤り率測定装置および誤り率測定方法に関する。
【背景技術】
【０００２】
例えば下記特許文献１に開示されるように、誤り率測定装置は、固定データを含む既知パターンのテスト信号を被測定物に送信し、このテスト信号の送信に伴って被測定物から折り返して受信した被測定信号と基準となる参照信号とをビット単位で比較してビット誤り率（ＢＥＲ：Bit Error Rate）を測定する装置として従来から知られている。
【０００３】
ところで、上述した誤り率測定装置を用いた例えばＵＳＢ、ＰＣＩｅなどのハイスピードシリアルバス（High Speed Serial Bus ：以下、ＨＳＢとも言う）の規格試験においては、（１）規格に基づいてストレスをかけたパターン信号を発生する→（２）被測定物を規格が定めるパターン信号折り返しのステート（ループバック）に遷移させる→（３）誤り率測定を行う、という手順が必要となる。
【０００４】
そして、上記（２）を実現するためには、規格で定められた複数の特定パターンを、信号発生モジュールから数μ秒単位で切り替えながら被測定物に出力し、規格試験で期待された通りのステート遷移をさせる必要がある。
【０００５】
このため、従来の誤り率測定装置では、規格で定められた特定パターンを固定された順に、予めユーザーが設定した時間だけ被測定物に送信して被測定物をステート遷移させることにより、上述したステート遷移を実現していた。
【０００６】
したがって、従来の誤り率測定装置は、被測定物をステート遷移させるためのパターンの送信順が固定であり、各規格が定めるパターン信号折り返しのステート（ループバック）への遷移手順を完璧に追従できる被測定物のみ誤り率測定を行うことができるものであった。
【先行技術文献】
【特許文献】
【０００７】
【特許文献１】特開２００７−２７４４７４号公報
【発明の概要】
【発明が解決しようとする課題】
【０００８】
しかしながら、実際の開発初期段階における被測定物は、完全なステート遷移ができないことの方が多い。ところが、従来の誤り率測定装置では、柔軟なパターン順の設定をすることができないため、完全なステート遷移ができない被測定物の誤り率測定を行うことができず、その改善が求められていた。
【０００９】
そこで、本発明は上記問題点に鑑みてなされたものであって、柔軟なステート遷移が可能な誤り率測定装置および誤り率測定方法を提供することを目的としている。
【課題を解決するための手段】
【００１０】
上記目的を達成するため、本発明に係る請求項１に記載された誤り率測定装置は、ハイスピードシリアルバスの規格が定める特定パターンを被測定物Ｗに入力して該被測定物をパターン信号折り返しのステートに遷移させた状態で既知パターンのテスト信号を入力し、このテスト信号の入力に伴って前記被測定物から受信する入力データのビット誤り率を測定する誤り率測定装置１であって、
前記特定パターンを設定するパターン設定画面５ａを表示する表示部５と、
前記パターン設定画面の前記特定パターンをブロック単位で編集可能なパターン編集画面５ｂに切り替えて表示するように前記表示部を制御する制御部６とを備えたことを特徴とする。
【００１１】
請求項２に記載された誤り率測定装置は、請求項１の誤り率測定装置において、
前記制御部６は、前記パターン設定画面５ａにおける前記特定パターンの現在送信中のブロックを識別表示するように前記表示部５を制御することを特徴とする。
【００１２】
請求項３に記載された誤り率測定方法は、ハイスピードシリアルバスの規格が定める特定パターンを被測定物Ｗに入力して該被測定物をパターン信号折り返しのステートに遷移させた状態で既知パターンのテスト信号を入力し、このテスト信号の入力に伴って前記被測定物から受信する入力データのビット誤り率を測定する誤り率測定方法であって、
前記特定パターンを設定するパターン設定画面５ａを表示するステップと、
前記パターン設定画面の前記特定パターンをブロック単位で編集可能なパターン編集画面５ｂに切り替えて表示するステップとを含むことを特徴とする。
【００１３】
請求項４に記載された誤り率測定方法は、請求項３の誤り率測定方法において、
前記パターン設定画面５ａにおける前記特定パターンの現在送信中のブロックを識別表示するステップを含むことを特徴とする。
【発明の効果】
【００１４】
本発明によれば、柔軟なステート遷移が可能となり、開発初期段階の被測定物を含め、多種多様な被測定物の誤り率測定を行うことができる。
【図面の簡単な説明】
【００１５】
【図１】本発明に係る誤り率測定装置の概略構成を示すブロック図である。
【図２】特定パターンのパターン設定画面の一例を示す図である。
【図３】特定パターンのパターン編集画面の一例を示す図である。
【図４】特定パターンの送信中のブロックを識別表示するパターン設定画面の一例を示す図である。
【図５】本発明に係る誤り率測定装置による特定パターンの編集方法のフローチャートである。
【発明を実施するための形態】
【００１６】
以下、本発明を実施するための形態について、添付した図面を参照しながら詳細に説明する。
【００１７】
本発明に係る誤り率測定装置および誤り率測定方法は、例えばＵＳＢ、ＰＣＩｅなどのハイスピードシリアルバス（ＨＳＢ）の規格試験において、特定パターンにより被測定物を信号パターン折り返しのステート（ループバック）に遷移させた状態で既知パターンのテスト信号を被測定物に送信し、このテスト信号の送信に伴って被測定物から折り返して受信する入力データのビット誤り率を測定するものである。なお、特定パターンは、被測定物を信号パターン折り返しのステート（ループバック）に遷移させるために必要なＨＳＢの規格が定めるシーケンスパターンである。
【００１８】
図１に示すように、本実施の形態の誤り率測定装置１は、設定操作部２、記憶部３、測定部４、表示部５、制御部６を備えて概略構成される。
【００１９】
設定操作部２は、ユーザによって操作されるものであり、例えば表示部５の表示画面（図２のパターン設定画面５ａ、図３のパターン編集画面５ｂ）上の各種ソフトキー、カーソルキー、矢印キーの他、装置本体に設けられるキー、スイッチ、ボタンなどで構成される。
【００２０】
設定操作部２は、被測定物Ｗへの特定パターンやテスト信号の送信開始や停止の指示、被測定物Ｗの誤り率の測定開始や停止の指示、特定パターンの設定や編集などを行う際に操作される。
【００２１】
例えば特定パターンの設定を行う際に操作される設定操作部２のソフトキーとしては、図２のパターン設定画面５ａに表示される「Ｓｅｑｕｅｎｃｅ  Ｅｄｉｔ」、「Ｔｒａｎｓｍｉｔ」、「Ｍａｎｕａｌ」のソフトキー２ａ，２ｂ，２ｃがある。図２のパターン設定画面５ａでは、「Ｓｅｑｕｅｎｃｅ  Ｅｄｉｔ」のソフトキー２ａを押下すると、表示画面が例えば図３のパターン編集画面５ｂに切り替わる。また、図２のパターン設定画面５ａの「Ｔｒａｎｓｍｉｔ」のソフトキー２ｂを押下すると、設定情報に基づく特定パターンの送信を開始する。さらに、図２のパターン設定画面５ａの「Ｍａｎｕａｌ」のソフトキー５ｃを押下すると、パターンホールドが「Ｍａｎｕａｌ」に設定されたブロックの次のブロックのパターンの出力を開始する。
【００２２】
また、特定パターンの編集を行う際に操作される設定操作部２のソフトキーとしては、図３のパターン編集画面５ｂに表示される「Ｓａｖｅ」、「Ｌｏａｄ」、「Ａｄｄ」、「Ｄｅｌｅｔｅ」、「Ｃｏｐｙ」、「Ｃｕｔ」、「Ｐａｓｔｅ」、「Ｃｌｅａｒ  Ａｌｌ」、「ＯＫ」、「Ｃａｎｃｅｌ」のソフトキー２ｄ，２ｅ，２ｆ，２ｇ，２ｈ，２ｉ，２ｊ，２ｋ，２ｌ，２ｍがある。そして、これらソフトキー２ｄ〜２ｍの操作により、ＨＳＢの規格（ＰＣＩｅ  Ｇｅｎ１，２，３，４、ＵＳＢ３．１  Ｇｅｎ１，２）の選択、選択した規格が定める特定パターンのブロック（＃０〜＃６）単位の編集、記憶部３への特定パターンの設定情報の保存、記憶部３に保存された特定パターンの設定情報の読み出しなどが行える。
【００２３】
なお、図示の例では、表示部５の表示画面上のソフトキーを設定操作部２の一部として構成しているが、誤り率測定装置１とは別体に設けられる外部入力装置を設定操作部２として用いることもできる。
【００２４】
記憶部３は、パターン設定画面５ａの設定情報やパターン編集画面５ｂの編集情報に基づく特定パターンの各種情報（ＨＳＢの規格が定める特定パターンの種類、送信順、送信時間、送信回数などの情報）、既知のテスト信号の情報、被測定物Ｗの誤り率の測定条件や測定結果に関する各種情報を記憶する。
【００２５】
測定部４は、パターン発生部４ａとエラー検出部４ｂを備え、設定操作部２の操作情報や記憶部３の記憶情報に基づく制御部６の制御により被測定物ＷのＨＳＢの規格試験を含む各種測定を行う。
【００２６】
パターン発生部４ａは、パターン設定画面５ａで設定された設定情報（パターン編集画面５ｂでの編集を反映した情報）に基づく特定パターン、被測定物Ｗの各種測定を行うための既知パターンのテスト信号を発生する。
【００２７】
エラー検出部４ｂは、パターン発生部４ａにて発生した特定パターンにより被測定物Ｗを信号パターン折り返しのステート（ループバック）に遷移させた状態でパターン発生部４ａからのテスト信号の送信に伴って被測定物Ｗから折り返される入力データのエラーを検出し、被測定物ＷのＨＳＢの規格試験を含む各種測定を行う。
【００２８】
表示部５は、例えば装置本体に装備された液晶表示器などで構成される。表示部５は、制御部６の制御により、被測定物Ｗをパターン信号折り返しのステート（ループバック）の遷移させるための特定パターンの設定を行うパターン設定画面５ａや特定パターンの編集を行うパターン編集画面５ｂを表示画面上に表示したり、被測定物Ｗへのテスト信号の送信に伴って被測定物Ｗから折り返される入力データのエラーの検出に基づく各種測定の結果を表示する。
【００２９】
ここで、図２に示すように、パターン設定画面５ａは、ＨＳＢの複数の規格（ＰＣＩｅ  Ｇｅｎ１，２，３，４、ＵＳＢ３．１  Ｇｅｎ１，２）の中から選択した規格が定める特定パターンをブロック分けして表示する。さらに説明すると、図２のパターン設定画面５ａでは、ＵＳＢ  Ｇｅｎ１による特定パターンが送信順の＃０，＃１，＃２，＃３，＃４，＃５，＃６（Ｂｌｏｃｋ  Ｎｏ．）の７つのブロックに分けられ、各ブロックごとのパターンホールドの有効／無効（Ｐａｔｔｅｒｎ  Ｈｏｌｄ）、信号形式（Ｔｙｐｅ）、パターン名称（Ｐａｔｔｅｒｎ）、設定時間または設定回数（Ｔｉｍｅ／Ｎｕｍ、Ｕｎｉｔ）を一覧表示する。
【００３０】
なお、初期時には、ＨＳＢの所定の規格（例えばＵＳＢ  Ｇｅｎ１）が定める特定パターンのプリセットデータがパターン設定画面５ａに表示される。特定パターンのプリセットデータは、規格に準拠して被測定物Ｗを信号パターン折り返しステート（ループバック）に遷移させるステート遷移用のシーケンスデータである。また、２回目以降は、前回終了時の特定パターンのデータがパターン設定画面５ａに表示される。
【００３１】
また、図３に示すように、パターン編集画面５ｂは、図２のパターン設定画面５ａに表示された特定パターンの一覧をブロック単位で編集可能に表示する。
【００３２】
なお、図３のパターン編集画面５ｂにおいて、ブロックを有効にする場合には、チェックボックスをクリックすると、レ点のチェックが入力される。また、図３のパターン編集画面５ｂのパターンホールド（Ｐａｔｔｅｒｎ  Ｈｏｌｄ）は、「Ｍａｎｕａｌ」を選択すると有効であり、特定パターンの切り替えが一度そのブロックで停止する。
【００３３】
制御部６は、設定操作部２の操作情報や記憶部３の記憶情報に基づいて測定部４を制御して被測定物Ｗの各種測定を行うために各部を統括制御するもので、特定パターンの設定や編集を行う際に表示部５を制御する表示制御手段６ａを含む。
【００３４】
さらに説明すると、表示制御手段６ａは、被測定物Ｗをパターン信号折り返しのステート（ループバック）の遷移させるための特定パターンの設定を行うときに、図２のパターン設定画面５ａを表示するように表示部５を制御する。
【００３５】
また、表示制御手段６ａは、図２のパターン設定画面５ａの「Ｓｅｑｕｅｎｃｅ  Ｅｄｉｔ」のソフトキー２ａが押下されると、図３のパターン編集画面５ｂを表示するように表示部５を制御する。
【００３６】
さらに、表示制御手段６ａは、特定パターンの送信中に、図４のパターン設定画面５ａにおける特定パターンの現在送信中のブロックを識別表示するように表示部５を制御する。具体的には、現在送信中のブロックの設定領域をバックライトで強調表示する。図４は斜線で示すブロック＃２の設定領域がバックライトで強調表示され、ブロック＃２が現在送信中のブロックであることを強調表示する。これにより、特定パターンの現在送信中のブロックを一目で確認することができる。
【００３７】
なお、上述した現在送信中のブロックの識別表示は、図４に示すようなブロックの設定領域全体をバックライトで強調表示するものに限定されず、ブロックの設定領域の一部（例えばＢｌｏｃｋ  Ｎｏ．のみ）を強調表示したり、文字の色を変えるなど、他のブロックと識別できる表示形態であればよい。
【００３８】
また、表示制御手段６ａは、特に図示はしないが、被測定物Ｗの測定結果を表示するためのソフトキーが押下されると、エラー検出部４ｂの検出結果に基づく被測定物Ｗの測定結果画面を表示するように表示部５を制御する。
【００３９】
次に、上記のように構成される誤り率測定装置１による特定パターンの編集方法について図５を参照しながら説明する。
【００４０】
特定パターンを編集する場合には、図２のパターン設定画面５ａを表示する（ＳＴ１）。初期時には、ＨＳＢの所定の規格（例えばＵＳＢ  Ｇｅｎ１）が定める特定パターンのプリセットデータがパターン設定画面５ａに表示される。また、２回目以降であれば、前回終了時の特定パターンのデータがパターン設定画面５ａに表示される。
【００４１】
そして、このパターン設定画面５ａの「Ｓｅｑｕｅｎｃｅ  Ｅｄｉｔ」のソフトキー２ａを押下すると、図２のパターン設定画面５ａのプリセットデータまたは前回終了時の特定パターンのデータに基づく図３のパターン編集画面５ｂに切り替わる（ＳＴ２）。
【００４２】
次に、パターン編集画面５ｂにおいて、プルダウンメニューとして表示されるＨＳＢの複数の規格（ＰＣＩｅ  Ｇｅｎ１，２，３，４、ＵＳＢ３．１  Ｇｅｎ１，２）の中から１つの規格を選択すると（ＳＴ３）、選択した規格に基づくパターン編集画面５ｂが表示される（ＳＴ４）。例えばプルダウンメニューから「ＵＳＢ  Ｇｅｎ１」を選択すると、図３のパターン編集画面５ｂが表示される。
【００４３】
そして、パターン編集画面５ｂにおいて、「Ａｄｄ」、「Ｄｅｌｅｔｅ」、「Ｃｏｐｙ」、「Ｃｕｔ」、「Ｐａｓｔｅ」、「Ｃｌｅａｒ  Ａｌｌ」、「ＯＫ」、「Ｃａｎｃｅｌ」のソフトキー２ｆ，２ｇ，２ｈ，２ｉ，２ｊ，２ｋ，２ｌ，２ｍを適宜操作し、選択した規格（例えばＵＳＢ  Ｇｅｎ１）が定める特定パターンのブロック（＃０〜＃６）単位で自由に編集を行う（ＳＴ５）。
【００４４】
なお、上述した特定パターンのブロック単位の編集を終えて「Ｓａｖｅ」のソフトキー２ｄを押下すると、パターン編集画面５ｂで編集された特定パターンのデータが記憶部３に保存される。
【００４５】
また、上述した特定パターンの編集において、「Ｌｏａｄ」のソフトキー２ｅを押下して記憶部３に保存された特定パターンのデータ一覧（不図示）を表示させ、このデータ一覧から編集したい特定パターンのデータを選択して読み出すこともできる。
【００４６】
そして、ＨＳＢの規格試験を行う場合には、図２のパターン設定画面５ａの「Ｔｒａｎｓｍｉｔ」のソフトキー２ｂを押下すると、制御部６の制御により、パターン発生部４ａがパターン設定画面５ａに設定された特定パターン（＃０〜＃６）を被測定物Ｗに送信する。この特定パターンの送信中には、図４の斜線で示すように、特定パターンの現在送信中のブロックを識別表示する。そして、この特定パターンにより被測定物Ｗが信号パターン折り返しのステートに遷移すると、制御部６の制御により、パターン発生部４ａが既知パターンのテスト信号を被測定物Ｗに送信すると、エラー検出部４ｂが被測定物Ｗから折り返される入力データのエラーを検出し、被測定物ＷのＨＳＢの規格試験を含む各種測定を行う。
【００４７】
このように、本実施の形態では、ＨＳＢの規格が定める特定パターンの種類、送信順、送信時間、送信回数などをユーザーが自由に設定して送信することができる。これにより、完全なステート遷移ができない被測定物であっても、誤り率測定を行うことが可能となり、開発初期段階の被測定物を含め、多種多様な被測定物の誤り率測定を行うことができる。
【００４８】
以上、本発明に係る誤り率測定装置および誤り率測定方法の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００４９】
１  誤り率測定装置
２  設定操作部
２ａ〜２ｍ  ソフトキー
３  記憶部
４  測定部
４ａ  パターン発生部
４ｂ  エラー検出部
５  表示部
６  制御部
Ｗ  被測定物（ＤＵＴ）
【図１】
2020127116.tif 000003
【図２】
2020127116.tif 000004
【図３】
2020127116.tif 000005
【図４】
2020127116.tif 000006
【図５】
2020127116.tif 000007